(57)【要約】  巻上装置は、本体（１）と、巻上ロープ（２）と、本体（１）に関連して配置されたロープドラム（３）であって、巻上ロープ（２）の第１の端部が固定されている、ロープドラム（３）と、巻上ロープ（２）によって上昇および下降する巻上部分（４）と、を備え、巻上装置は、巻上ロープ（２）の第２の端部（２−２）の固定装置（５）をさらに備え、部分を囲む螺旋状の溝（１５）が形成され、巻上ロープ（２）の第２の端部（２−２）に隣接する部分が部分を囲むように受け取られる少なくとも１つの部分を有し、巻上装置は、巻上ロープ（２）の第２の端部（２−２）を固定装置（５）にロックする固定構成（６）をさらに有し、第２の端部（２−２）が固定装置（５）から引き抜かれないようにする。
2021507858.tif 000002
【特許請求の範囲】
【請求項１】
巻上装置であって、
本体（１）と、
巻上ロープ（２）と、
前記本体（１）に関連して配置されたロープドラム（３）であって、前記巻上ロープ（２）の第１の端部が固定されており、前記巻上ロープ（２）が巻き付けられる、ロープドラム（３）と、
前記巻上ロープ（２）によって上昇および下降する巻上部分（４）と、を備え、
前記巻上装置は、前記巻上ロープ（２）の第２の端部（２−２）の固定装置（５）を備え、部分を取り囲む螺旋状の溝（１５）が形成され、前記巻上ロープ（２）の前記第２の端部（２−２）に隣接する部分が前記部分を取り囲むように受け取られる少なくとも１つの部分を有し、
前記巻上装置は、前記巻上ロープ（２）の前記第２の端部（２−２）を前記固定装置（５）にロックする固定構成（６）を有し、前記第２の端部（２−２）が前記固定装置（５）から引き抜かれないようにすることを特徴とする、巻上装置。
【請求項２】
前記巻上ロープ（２）の前記固定装置（５）が、前記巻上部分（４）に取り外し可能かつ回転可能に固定されることを特徴とする、請求項１に記載の巻上装置。
【請求項３】
前記巻上部分（４）に関連して、前記ロープドラム（３）から前記巻上ロープ（２）を受け取る少なくとも１つの滑車（７）があり、前記滑車（７）から前記巻上ロープ（２）を受け取る前記巻上ロープ（２）の前記固定装置（５）は、取り外し可能かつ回転可能に前記本体に固定されていることを特徴とする、請求項１に記載の巻上装置。
【請求項４】
前記巻上ロープ（２）の前記固定装置（５）は、滑車軸の端部に取り外し可能かつ回転可能に固定されていることを特徴とする、請求項２または３に記載の巻上装置。
【請求項５】
前記固定装置（５）の前記部分は、ループに形成されていることを特徴とする、請求項１ないし４のうちいずれか１項に記載の巻上装置。
【請求項６】
前記ループは、前記ループの中央部分に配置された固定点（１３）の周りを回り、それによって、前記固定装置（５）が前記巻上装置に固定されることを特徴とする、請求項５に記載の巻上装置。
【請求項７】
前記ループは、閉ループであることを特徴とする、請求項５または６に記載の巻上装置。
【請求項８】
前記ループは、開ループであることを特徴とする、請求項５または６に記載の巻上装置。
【請求項９】
前記ループは、角張ったループであることを特徴とする、請求項５または６に記載の巻上装置。
【請求項１０】
前記ループは、少なくとも部分的に円形ループであることを特徴とする、請求項５または６に記載の巻上装置。
【請求項１１】
前記巻上装置（５）の溝（１５）に前記巻上ロープ（２）が受け入れられる、前記巻上ロープ（２）の第１の端部と第２の端部（２−２）との間の点は、前記固定装置（５）の固定点（１３）と同じ垂直線（１６）に位置されることを特徴とする、請求項１ないし１０のうちいずれか１項に記載の巻上装置。
【請求項１２】
前記巻上ロープ（２）の前記第２の端部（２−２）を前記固定装置（５）にロックする前記固定構成（６）は、ボルト（１７）を備え、これにより、前記巻上ロープ（２）の前記第２の端部（２−２）は、前記固定装置（５）に固定されていることを特徴とする、請求項１ないし１１のうちいずれか１項に記載の巻上装置。
【請求項１３】
前記巻上ロープ（２）の前記第２の端部（２−２）を前記固定装置（５）にロックする前記固定構成（６）は、結び目（１８）を備え、これにより、前記巻上ロープ（２）の前記第２の端部（２−２）は、前記固定装置（５）に固定されていることを特徴とする、請求項１ないし１２のうちいずれか１項に記載の巻上装置。
【請求項１４】
前記固定装置（５）の溝（１５）は、前記巻上ロープ（２）の外径と一致するように丸みと寸法が設定されていることを特徴とする、請求項１ないし１３のうちいずれか１項に記載の巻上装置。
【請求項１５】
前記巻上ロープ（２）は、合成材料を含むことを特徴とする、請求項１ないし１４のうちいずれか１項に記載の巻上装置。
【発明の詳細な説明】
【技術分野】
【０００１】
本発明は、巻上ロープの端部を巻上装置に固定するための装置に関する。
【背景技術】
【０００２】
巻上装置の巻上ロープとしてスチールロープを使用することは以前から知られている。スチールロープを巻上装置に固定するために、例えば、くさびポケットとロープ引き締め具がしばしば使用される。問題の解決策は、スチールロープでの使用に適しているが、他の材料を含むロープでは、この解決策は、不利であることが判明している。
【０００３】
ここで説明する解決策の目的は、用途に応じて以前より自由に巻上ロープの材料を選択できるようにする、巻上ロープの固定方法を開発することである。
【発明の概要】
【０００４】
上述の目的は、本発明に係る巻上装置によって達成され、それは、本体、巻上ロープ、および本体に関連して配置された巻上ロープの第１の端部が固定され、巻上ロープが巻き付けられるロープドラム、並びに巻上ロープによって上昇および下降する巻上部分を備えることを特徴とし、および前記巻上装置はさらに、巻上ロープの第２の端部の固定装置を備え、部分を取り囲む螺旋状の溝が形成され、巻上ロープの第２の端部に隣接する部分が前記部分を取り囲むように受け取られる少なくとも１つの部分を有し、巻上装置は、巻上ロープの第２の端部を固定装置にロックする固定構成を有し、第２の端部が固定装置から引き抜かれるのを防ぐ。このような解決策により、摩擦を利用して巻上ロープを固定することが可能になり、その結果、巻上ロープの材料を用途に合わせてより自由に選択できるようになる。
【０００５】
次に、本発明を、好ましい実施形態に関連して、また添付の図面を参照して、より詳細に説明する。
【図面の簡単な説明】
【０００６】
【図１】巻上装置の第１の実施形態を示す図である。
【図２】巻上装置の第２の実施形態を示す図である。
【図３ａ】図１および図２の巻上装置に適した固定装置の第１の実施形態を示す。
【図３ｂ】図１および図２の巻上装置に適した固定装置の第１の実施形態を示す。
【図３ｃ】図１および図２の巻上装置に適した固定装置の第１の実施形態を示す。
【図４ａ】図１および図２の巻上装置に適した固定装置の第２の実施形態を示す。
【図４ｂ】図１および図２の巻上装置に適した固定装置の第２の実施形態を示す。
【図５】図３〜図４の固定装置から適切な巻上ロープの第２の端部の固定の実施形態を示す。
【発明を実施するための形態】
【０００７】
図１を参照すると、巻上装置に合成ロープを固定するための固定装置は、その主要構成要素として、巻上装置の本体１、巻上ロープ２、本体に関連して配置されたロープドラム３、巻上部分４、巻上ロープ２の第２の端部の固定装置５を備え、部分を取り囲む螺旋状の溝が形成され、巻上ロープ２の第２の端部に隣接する部分が前記部分を取り囲むように受け取られる少なくとも１つの部分を有する少なくとも１つの部分と、巻上ロープの第２の端部を固定装置５にロックする固定構成６を有する。固定装置５の材料としては、例えば、アルミニウムを使用することができ、これにより、例えば、腐食に対してコーティングまたは塗装する必要がない。あるいは、塗装された鋼を使用することもできる。
【０００８】
この実施形態では、巻上ロープ２の第２の端部の前記固定装置５は、図１に示されるように、例えば、巻上装置の本体１に固定される。固定は、ジョイントが取り外し可能で回転するように実施されることが有利である。取り外し可能な固定により、必要に応じて固定装置５の位置を変更することができる。回転固定により、例えば、巻き上げられる荷物が揺れる場合に、固定装置を固定点の周りで回転させることができる。
【０００９】
固定装置５が巻上装置の本体１に固定されるとき、少なくとも１つの第１の滑車７を、ロープドラム３から巻上ロープ２を受ける巻上部分４に固定する必要がある。図１の実施形態では、巻上ロープ２は、巻上部分４と本体部分１との間に複数回延在し、これにより、本体部分に関連して配置された１つの第２の滑車８がある。この例では、固定装置は、第２の滑車８と同じ軸９に固定される。
【００１０】
固定装置５の前記部分は、図１の例では、閉ループに形成され、それにより、固定装置５の中央部分に配置された固定点を一周し、それによって、固定装置５は、巻上装置に固定される。あるいは、前記ループは、いくつかの場所で開いていてもよい。ループは、図１に示されるように、角張った形、または少なくとも部分的に丸みを帯びた形をしている。
【００１１】
固定装置５は鋳鉄または鋼で作ることができ、巻上ロープ２は、Ｄｙｎｅｅｍａ（登録商標）ロープなどの合成巻上ロープであってもよく、Ｄｙｎｅｅｍａ（登録商標）は、その所有者がＤＳＭ  ＩＰ  Ａｓｓｅｔｓ  Ｂ．Ｖ．である商標である。
【００１２】
図２は、巻上装置の第２の実施形態を示している。図２の実施形態は、図１の実施形態にほぼ対応し、以下では、図２の実施形態は、主にこれらの実施形態間の差異を開示することによって説明される。この例では、固定装置５は、分離された軸１０上の巻上部分４と接続されて固定される。例とは異なり、固定装置５は、滑車１１と同時に、または滑車１１の代わりに、滑車１１と同じ軸１２に固定されてもよい。
【００１３】
図３ａ〜図３ｃは、図１および図２の実施形態で利用することができる固定装置の第１の好ましい実施形態を示している。図３ａ〜図３ｃで参照される部分は、丸い角を有する閉じた正方形のループに形成されている。この例では、固定装置５は、そのループの内側に形成された固定点１３を有し、これは、軸の端部にねじ込まれ得る、または、例えば、固定ボルトがそこを通してねじ込まれ得る開口部１４によって形成される。あるいは、固定装置５の固定点１３は、ループの外側に配置されてもよい。
【００１４】
図３ａおよび図３ｂを参照すると、固定装置５の固定点１３は、有利には、巻上装置２の溝１５内に巻上ロープ２が受け入れられる巻上ロープ２の第１の端部２と第２の端部２−２との間の点が固定装置５の固定点１３として同じ垂直線１６上に位置するように配置される。このようにして、固定装置５にねじりモーメントが発生することが回避される。固定装置５の溝１５において、この点は、図３ｃに示されるように、溝１５の第１の端部１５−１の近くにある。
【００１５】
図３ａ〜図３ｃが示すように、好ましい実施形態では、ループは、巻上ロープの第２の端部２−２を受け入れる溝１５を取り囲むように少なくとも部分的に配置される。前記溝１５はまた、ループ全体を実質的に取り囲んでもよい。これは、前記部分に複数の溝ラウンドを配置するのに有利である。なぜなら、複数の溝ラウンドは、巻上ロープと固定装置との間の摩擦を増加させ、したがって、固定の適切な保持を確実にするからである。さらに、溝１５の表面は、摩擦を増加させるように処理されてもよい。溝１５に摩擦を加えることは、例えば、溝１５をコーティングすることによって、またはその製造段階で溝１５に突起を形成することによって実施され、摩擦を高めることができる。
【００１６】
溝１５は、実質的に円形、または少なくとも円形であり、溝の形状は、実質的に半円形であり、溝の寸法は、使用される巻上ロープ２の外径と密接に一致する。したがって、張力が加えられたとき、溝１５は、特に、引張強度が加えられたときに、巻上ロープがつぶれないように、巻上ロープ２を側面から支持する。有利には、配置されたとき、溝１５は、巻上ロープ２の受け点よりもさらに続き、溝１５に沿った巻上ロープ２の移動は、以下のスイング動作に関連して説明されるように、鋭い角に接触することなく可能である。
【００１７】
図４ａ〜図４ｂは、図１および図２の実施形態で利用され得る、固定装置の第２の好ましい実施形態を示す。図４ａおよび図４ｂの実施形態は、図３ａおよび３ｃの実施形態にほぼ対応し、したがって、以下では、図４ａおよび図４ｂの実施形態は、これらの実施形態間の差異を主に開示することによって説明される。図４ａおよび図４ｂの実施形態は、固定装置５’を備え、その溝１５によって取り囲まれた前記部分は、円形の閉ループに形成される。問題の実施形態では、前記溝１５は、実質的にループ全体を取り囲む。
【００１８】
さらに図３ａ〜図３ｃおよび図４ａおよび４ｂを参照すると、巻上ロープ２は、溝の第１の端部１５−１の近くから固定装置に受け取られ、その後、巻上ロープ２は、少なくとも部分的に溝１５内に配置される。最後に、巻上ロープ２の第２の端部２−２は、固定構成によって固定装置に固定される。
【００１９】
図５は、例として固定構成を示している。問題の固定構成は、巻上ロープ２の第２の端部２−２に結び付けられたボルト１７および８の字結びなどの結び目１８などの固定手段を備える。この問題の固定構成では、巻上ロープ２は、溝側の部分でわずかに開いており、形成された隙間を介してボルト１７が適合され、それを回転させることにより固定装置に固定され、これにより、巻上ロープ２の第２の端部２−２を所定の位置にロックする。このような場合の結び目は、少し開いていたロープの端部がほどけるのを防ぐ。
【００２０】
図５とは異なり、固定装置は、巻上ロープ２の第２の端部２-２が通される穴を有してもよく、その後、結び目が巻上ロープ２の第２の端部２−２に結び付けられて、巻上ロープ２の引き抜きを防止する。このような場合、図５に示されるねじは固定構成に必要ないが、結び目と穴により、ロープの第２の端部が固定装置の所定の位置に保持される。
【００２１】
上記において、例としておよび図面を参照して、巻上ロープが通されている固定装置の部分がループに形成されていることが開示されている。しかしながら、これは好ましい実施形態の一例にすぎず、これにより、例えば、滑車軸の延長部で滑車と同軸に固定されるように適合する、このようなコンパクトな固定装置を実現することができる。あるいは、前記部分が直線ロッドに形成されることも可能である。
【００２２】
図の例とは異なり、固定構成は、それ自体の下にある巻上ロープ２の第２の端部２−２の糸通し、および下糸通しに続いて張力をかけることを含み、それにより、下糸付き巻上ロープ部分が巻上ロープ２と固定装置５との間に張られる。下糸付き巻上ロープ２の端部に結び目を結ぶことにより、巻上ロープ２が引っ張られた状態にあるときに巻上ロープが引き抜かれるのを防ぐことにより、固定をさらに改善することができる。
【００２３】
さらに図とは異なり、固定構成は、プレートと固定手段とを備えることができ、これにより、巻上ロープ２の第２の端部２−２は、前記プレートと固定装置５との間で引っ張られる。この固定構成はまた、巻上ロープ２が引っ張られた状態にあるときに巻上ロープ２の第２の端部２−２に結び目を結び、巻上ロープ２が引き抜かれるのを防ぐことによってさらに改善することができる。
【００２４】
異なる実施形態では、負荷の揺れに関する限り、垂直角から任意の方向への負荷の揺れが構造的に考慮され得るという事実に留意することができる。例えば、図１による方向では、問題は、横揺れ運動であり、これは、固定装置がその周りを回転することができる固定点１３を固定装置に提供することによって考慮される。前述の横方向の動きに対して揺れ運動が横方向である場合、すなわち、固定点１３のピンの軸の方向に揺れることは、固定装置の最下端の下のロープの溝を長くすることによって考慮に入れることができる。実際には、全ての揺れ運動および斜めに引っ張る状況は、上記で言及した２つの方向の動きに分けることができる。
【００２５】
当業者は、技術が進歩するにつれて、本発明の基本的なアイデアが多くの異なる方法で実施され得ることを明らかにするであろう。したがって、本発明およびその実施形態は、上記の例に限定されず、請求の範囲内で変化し得る。
【図１】
2021507858.tif 000003
【図２】
2021507858.tif 000004
【図３ａ】
2021507858.tif 000005
【図３ｂ】
2021507858.tif 000006
【図３ｃ】
2021507858.tif 000007
【図４ａ】
2021507858.tif 000008
【図４ｂ】
2021507858.tif 000009
【図５】
2021507858.tif 000010
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
巻上装置であって、
本体（１）と、
巻上ロープ（２）と、
前記本体（１）に関連して配置されたロープドラム（３）であって、前記巻上ロープ（２）の第１の端部が固定されており、前記巻上ロープ（２）が巻き付けられる、ロープドラム（３）と、
前記巻上ロープ（２）によって上昇および下降する巻上部分（４）と、を備え、
前記巻上装置は、ループに形成された前記巻上ロープ（２）の第２の端部（２−２）の固定装置（５）を備え、螺旋状の溝（１５）が実質的にループ全体を取り囲んでおり、前記巻上ロープ（２）の前記第２の端部（２−２）に隣接する部分が受け取られ、
前記巻上装置は、前記巻上ロープ（２）の前記第２の端部（２−２）を前記固定装置（５）にロックする固定構成（６）を有し、前記第２の端部（２−２）が前記固定装置（５）から引き抜かれないようにすることを特徴とする、巻上装置。
【請求項２】
前記巻上ロープ（２）の前記固定装置（５）が、前記巻上部分（４）に取り外し可能かつ回転可能に固定されることを特徴とする、請求項１に記載の巻上装置。
【請求項３】
前記巻上部分（４）に関連して、前記ロープドラム（３）から前記巻上ロープ（２）を受け取る少なくとも１つの滑車（７）があり、前記滑車（７）から前記巻上ロープ（２）を受け取る前記巻上ロープ（２）の前記固定装置（５）は、取り外し可能かつ回転可能に前記本体に固定されていることを特徴とする、請求項１に記載の巻上装置。
【請求項４】
前記巻上ロープ（２）の前記固定装置（５）は、滑車軸の端部に取り外し可能かつ回転可能に固定されていることを特徴とする、請求項２または３に記載の巻上装置。
【請求項５】
前記ループは、前記ループの中央部分に配置された固定点（１３）の周りを回り、それによって、前記固定装置（５）が前記巻上装置に固定されることを特徴とする、請求項１に記載の巻上装置。
【請求項６】
前記ループは、閉ループであることを特徴とする、請求項５に記載の巻上装置。
【請求項７】
前記ループは、開ループであることを特徴とする、請求項５に記載の巻上装置。
【請求項８】
前記ループは、角張ったループであることを特徴とする、請求項５に記載の巻上装置。
【請求項９】
前記ループは、少なくとも部分的に円形ループであることを特徴とする、請求項５に記載の巻上装置。
【請求項１０】
前記巻上装置（５）の溝（１５）に前記巻上ロープ（２）が受け入れられる、前記巻上ロープ（２）の第１の端部と第２の端部（２−２）との間の点は、前記固定装置（５）の固定点（１３）と同じ垂直線（１６）に位置されることを特徴とする、請求項１ないし９のうちいずれか１項に記載の巻上装置。
【請求項１１】
前記巻上ロープ（２）の前記第２の端部（２−２）を前記固定装置（５）にロックする前記固定構成（６）は、ボルト（１７）を備え、これにより、前記巻上ロープ（２）の前記第２の端部（２−２）は、前記固定装置（５）に固定されていることを特徴とする、請求項１ないし１０のうちいずれか１項に記載の巻上装置。
【請求項１２】
前記巻上ロープ（２）の前記第２の端部（２−２）を前記固定装置（５）にロックする前記固定構成（６）は、結び目（１８）を備え、これにより、前記巻上ロープ（２）の前記第２の端部（２−２）は、前記固定装置（５）に固定されていることを特徴とする、請求項１ないし１１のうちいずれか１項に記載の巻上装置。
【請求項１３】
前記固定装置（５）の溝（１５）は、前記巻上ロープ（２）の外径と一致するように丸みと寸法が設定されていることを特徴とする、請求項１ないし１２のうちいずれか１項に記載の巻上装置。
【請求項１４】
前記巻上ロープ（２）は、合成材料を含むことを特徴とする、請求項１ないし１３のうちいずれか１項に記載の巻上装置。
【国際調査報告】
2021507858.tif 000011
2021507858.tif 000012
2021507858.tif 000013